(57)【要約】  【課題】  利用者がプレイヤの操作に慣れていなくても、利用者が希望するコンテンツを簡単な操作で検索することができるコンテンツ検索装置およびコンテンツ検索方法を提供する。  【解決手段】  コンテンツ格納手段２に記憶されたコンテンツからコンテンツ再生装置１で再生される選択コード入力手段５での操作に応じて検索するコンテンツ検索装置であって、選択コード入力手段５が操作に応じて出力する選択コードとコンテンツ格納手段２に記憶されたコンテンツとの対応関係の一覧である目次本を生成する目次本生成手段３を備える。【選択図】  図１
2007041934.tif 000002
【特許請求の範囲】
【請求項１】
記憶媒体に記憶されたコンテンツから再生装置で再生されるコンテンツを入力装置での操作に応じて検索するコンテンツ検索装置であって、
前記入力装置が操作に応じて出力する選択コードと前記記憶媒体に記憶されたコンテンツとの対応関係を生成する生成手段を備えるコンテンツ検索装置。
【請求項２】
前記生成手段は、前記対応関係の一覧である目次本を生成することを特徴とする請求項１に記載のコンテンツ検索装置。
【請求項３】
前記生成手段は、前記コンテンツが追加または削除されても、既に存在する対応関係を維持することを特徴とする請求項１に記載のコンテンツ検索装置。
【請求項４】
印刷装置に対して前記対応関係を印刷させる印刷制御手段を備える請求項１に記載のコンテンツ検索装置。
【請求項５】
表示装置に対して前記対応関係を表示させる表示制御手段を備える請求項１に記載のコンテンツ検索装置。
【請求項６】
通信装置に対して前記対応関係を送信させる送信制御手段を備える請求項１に記載のコンテンツ検索装置。
【請求項７】
前記選択コードは、文字、数字、記号およびこれらの結合の何れかであることを特徴とする請求項１に記載のコンテンツ検索装置。
【請求項８】
前記選択コードは、バーコードであることを特徴とする請求項１に記載のコンテンツ検索装置。
【請求項９】
前記選択コードは、他の記憶媒体においても、各コンテンツに対して一意に定められていることを特徴とする請求項１に記載のコンテンツ検索装置。
【請求項１０】
再生装置で再生されるコンテンツの一覧であるプレイリストを表示装置に表示させるプレイリスト表示制御手段を備える請求項１に記載のコンテンツ検索装置。
【請求項１１】
前記プレイリスト表示制御手段は、前記プレイリストとして、前記コンテンツを前記選択コードの入力順に並べたものを表示装置に表示させることを特徴とする請求項１０に記載のコンテンツ検索装置。
【請求項１２】
前記プレイリスト表示制御手段は、前記プレイリストとして、複数ある前記選択コードの何れにも対応する一覧を表示装置に表示させることを特徴とする請求項１０に記載のコンテンツ検索装置。
【請求項１３】
前記プレイリスト表示制御手段は、前記プレイリストとして、複数ある前記選択コードの何れかに対応する一覧を表示装置に表示させることを特徴とする請求項１０に記載のコンテンツ検索装置。
【発明の詳細な説明】
【技術分野】
【０００１】
本発明は、記憶媒体に格納された複数のコンテンツからコンテンツ再生装置に再生させるコンテンツを検索するコンテンツ検索装置およびコンテンツ検索方法に関するものである。
【背景技術】
【０００２】
近年、ハードディスクや半導体メモリなどの大容量記憶媒体を用いたオーディオプレイヤが数多く商品化されている。これらの商品は、ＣＤ（Compact Disc）に記録された楽曲をリッピングしたり、通信を用いて楽曲コンテンツをダウンロードしたりして大容量記憶媒体に楽曲コンテンツを格納できる。
【０００３】
現在、数千曲の楽曲コンテンツを格納できるプレイヤが標準的となっており、今後、メディアの大容量化と低価格化、コンテンツ圧縮技術の更なる進歩により、格納できる楽曲数はさらに増大するものと考えられる。
【０００４】
格納できる楽曲数が飛躍的に多くなるにつれて、希望する楽曲の選択再生が困難になってきている。オーディオプレイヤの多くは、利用者が選択した楽曲を複数個まとめて登録したプレイリストを作成することが可能であるが、プレイリストに登録する楽曲を選択するためには多くの楽曲名が表示されたリストから希望の楽曲を探す必要があり、楽曲数が数千曲になると探し当てるのは極めて困難である。
【０００５】
このため、従来のコンテンツ検索装置としては、楽曲にあらかじめ付与された、アーティスト、ジャンル、年代、シチュエーション、曲調などの情報を用いて検索を行うものがある（例えば、特許文献１参照）。また、これら複数の情報を組み合わせて絞り込み検索をするものもある（例えば、特許文献２参照）。
【特許文献１】特開平９−１９０１９４号公報
【特許文献２】特開平１０−１１４６３号公報
【発明の開示】
【発明が解決しようとする課題】
【０００６】
しかしながら、オーディオプレイヤは一般に画面が小さく、可能な操作も限定される。特に、車載オーディオプレイヤの場合、走行中に複雑な操作が行われるのを防止するため、画面の凝視を伴う操作ができないように操作に規制がかけられている。したがって、これらのオーディオプレイヤには、複雑な操作を伴う検索操作が適さないという問題があった。
【０００７】
また、車の所有者はオーディオプレイヤの操作に慣れているが、同乗者である家族や友人は操作に慣れていないことが多く、また、どのような曲が録音されているのかもわからないため、希望の楽曲を再生できないという問題があった。
【０００８】
本発明は、従来の問題を解決するためになされたもので、利用者がプレイヤの操作に慣れていなくても、利用者が希望するコンテンツを簡単な操作で検索することができるコンテンツ検索装置およびコンテンツ検索方法を提供することを目的とする。
【課題を解決するための手段】
【０００９】
本発明のコンテンツ検索装置は、記憶媒体に記憶されたコンテンツから再生装置で再生されるコンテンツを入力装置での操作に応じて検索するコンテンツ検索装置であって、前記入力装置が操作に応じて出力する選択コードと前記記憶媒体に記憶されたコンテンツとの対応関係を生成する生成手段を備えた構成を有している。
【００１０】
この構成により、本発明のコンテンツ検索装置は、入力装置を介して入力された選択コードに対応するコンテンツを検索できるため、利用者がコンテンツ再生装置の操作に慣れていなくても、利用者が希望するコンテンツを簡単な操作で検索することができる。
【００１１】
なお、前記生成手段は、前記対応関係の一覧である目次本を生成するようにしてもよい。
【００１２】
この構成により、本発明のコンテンツ検索装置は、格納されたコンテンツに応じて自動的に生成した目次本に基づいて利用者によって選択された選択コードに対応するコンテンツを検索するため、利用者がコンテンツ再生装置の操作に慣れていなくても、利用者が希望するコンテンツを簡単な操作で検索することができる。
【００１３】
また、前記生成手段は、前記コンテンツが追加または削除されても、既に存在する対応関係を維持するようにしてもよい。
【００１４】
また、本発明のコンテンツ検索装置は、印刷装置に対して前記対応関係を印刷させる印刷制御手段を備えるようにしてもよく、表示装置に対して前記対応関係を表示させる表示制御手段を備えるようにしてもよく、通信装置に対して前記対応関係を送信させる送信制御手段を備えるようにしてもよい。
【００１５】
また、前記選択コードは、文字、数字、記号およびこれらの結合の何れかでもよく、バーコードでもよい。
【００１６】
また、前記選択コードは、他の記憶媒体においても、各コンテンツに対して一意に定められていてもよい。
【００１７】
この構成により、本発明のコンテンツ検索装置は、複数の記憶媒体間で選択コードを共通化できるため、同一の選択コードにより希望するコンテンツを検索することができる。
【００１８】
また、本発明のコンテンツ検索装置は、再生装置で再生されるコンテンツの一覧であるプレイリストを表示装置に表示させるプレイリスト表示制御手段を備えるようにしてもよい。
【００１９】
また、前記プレイリスト表示制御手段は、前記プレイリストとして、前記コンテンツを前記選択コードの入力順に並べたものを表示装置に表示させるようにしてもよい。
【００２０】
また、前記プレイリスト表示制御手段は、前記プレイリストとして、複数ある前記選択コードの何れにも対応する一覧を表示装置に表示させるようにしてもよい。
【００２１】
また、前記プレイリスト表示制御手段は、前記プレイリストとして、複数ある前記選択コードの何れかに対応する一覧を表示装置に表示させるようにしてもよい。
【発明の効果】
【００２２】
本発明は、利用者がプレイヤの操作に慣れていなくても、利用者が希望するコンテンツを簡単な操作で検索することができるといった効果を有するコンテンツ検索装置およびコンテンツ検索方法を提供することができる。
【発明を実施するための最良の形態】
【００２３】
以下、本発明の実施の形態について、図面を参照して説明する。なお、以下に説明する実施の形態は、本発明に係るコンテンツ検索装置をコンテンツ再生装置（プレイヤ）に適用した例について説明する。
【００２４】
（第１の実施の形態）
本発明の第１の実施の形態のコンテンツ再生装置を図１に示す。
【００２５】
図１において、コンテンツ再生装置１は、コンテンツを格納するコンテンツ格納手段２と、格納されたコンテンツの情報から選択コードの一覧である目次本を生成する目次本生成手段３と、目次本を出力する目次本出力手段４と、選択コードが入力される選択コード入力手段５と、選択コードに対応するコンテンツを検索してプレイリストを生成するプレイリスト生成手段６と、プレイリストに従ってコンテンツ格納手段２に格納されたコンテンツを再生する再生手段７と、選択コードを変換するための規則が記憶された選択コード変換規則記憶手段８とを備えている。
【００２６】
コンテンツ格納手段２は、ハードディスクや半導体メモリなどの大容量記憶媒体により構成され、コンテンツおよびコンテンツに付随するコンテンツ管理情報が格納される。例えば、コンテンツ管理情報は、図２に示すように、各コンテンツに対する管理情報レコード１０よりなる。
【００２７】
管理情報レコード１０は、アルバム名１１、アーティスト名１２、トラック名１３、ジャンル１４、並びに、年代、季節、ＴＶ・ＣＭ曲、ヒット曲およびラブソングなどの分類フラグ１５などを含む。なお、管理情報レコード１０は、曲調やサビの位置などの他の情報を含むようにしてもよい。
【００２８】
アルバム名１１やアーティスト名１２などの文字列の情報には、不図示の読みの情報が付与されている。また、各アーティスト名１２には、選択コードとしてアーティストコード２２が付与されている。このアーティストコード２２は、コンテンツがコンテンツ格納手段２に追加される時に付与される。
【００２９】
ここで、アーティストコード２２は、他のアーティスト名１２に既に付与されているアーティストコード２２と重複しないように選択される。同様に、アルバム名１１、トラック名１３およびジャンル１４にそれぞれ選択コードとして付与されるアルバムコード２１、トラックコード２３およびジャンルコード２４も、他のものに既に付与されている選択コードと重複しないように選択される。
【００３０】
これら各種のコードは、コンテンツ管理情報に含めなくてもよいが、コンテンツの追加および削除時に選択コードの付番体系が変わってしまい、同一内容に対する選択コードが変わってしまう可能性がある。このため、コンテンツ管理情報に各種のコードを含めることにより、コンテンツの追加および削除によって既存の選択コードに影響を与えることを防止する。
【００３１】
目次本生成手段３、目次本出力手段４およびプレイリスト生成手段６は、プログラムを実行するＣＰＵ（Central Processing Unit）によって構成される。目次本生成手段３は、本発明における生成手段を構成し、目次本出力手段４は、本発明における印刷制御手段、表示制御手段および送信制御手段を構成し、プレイリスト生成手段６は、本発明におけるプレイリスト表示制御手段を構成する。
【００３２】
選択コード入力手段５は、コンテンツ再生装置１に設けられた各種ボタン、リモコンまたはタッチパネルディスプレイなどの入力装置によって構成してもよいし、バーコードをスキャンして取り込むバーコードリーダなどの入力装置によって構成してもよい。
【００３３】
選択コード変換規則記憶手段８は、ハードディスクや半導体メモリなどの大容量記憶媒体により構成される。
【００３４】
以上のように構成されたコンテンツ再生装置１について、その動作を説明する。まず、図３乃至図８を参照してコンテンツ再生装置１の目次本生成動作について説明する。
【００３５】
図３において、コンテンツ格納手段２にコンテンツが追加もしくは削除され、または、利用者によって開始を指示されると、それぞれ後述するアーティスト別目次本生成処理（Ｓ３１）、アルバム別目次本生成処理（Ｓ３２）、ジャンル別目次本生成処理（Ｓ３３）、分類フラグ別目次本生成処理（Ｓ３４）およびおすすめ目次本生成処理（Ｓ３５）が実行される。
【００３６】
図４は、アーティスト別目次本生成処理（Ｓ３１、図３）をより詳細に示したフローチャートである。
【００３７】
まず、目次本生成手段３によって全アーティスト名のソートが行われる（Ｓ４１）。ここで、目次本生成手段３は、コンテンツ格納手段２に格納されたコンテンツ管理情報を参照し、全てのアーティスト名をアーティスト読みで五十音順に並べる。なお、目次本生成手段３は、アーティスト名が付されていないものについては、"その他"としてまとめて一番最後に並べる。
【００３８】
次に、各アーティスト名に対して、当該アーティスト名に対応する全トラック名のソートが目次本生成手段３によって行われる（Ｓ４２）。ここで、目次本生成手段３は、コンテンツ格納手段２に格納されたコンテンツ管理情報を参照し、アーティスト名に対応する全トラック名をトラック読みで五十音順または登録順に並べる。
【００３９】
次に、各アーティスト名に対して、当該アーティスト名に対応する選択コードの一覧が目次本生成手段３によって作成される（Ｓ４３）。ここで、各アーティスト名に対応する選択コードの一覧の例を図５（ａ）に示す。図５（ａ）において、目次本生成手段３は、アーティスト名と対応するアーティストコードを先頭に置き、続いてステップＳ４２でソートされた全てのトラック名と対応するトラックコードを並べる。
【００４０】
全てのアーティスト名に対応する選択コードの一覧の作成が完了すると、これら選択コードの一覧よりなるアーティスト別目次本が目次本生成手段３によって生成される（Ｓ４４）。ここで、目次本生成手段３は、作成した各アーティスト名に対応する選択コードの一覧を利用者が見やすいように体裁を整える。具体的には、目次本生成手段３は、図５（ｂ）に示すように、トラック名や五十音インデックスを追加したり、インデントなどを用いたりしてアーティスト別目次本を整形する。
【００４１】
図６は、アルバム別目次本生成処理（Ｓ３２、図３）をより詳細に示したフローチャートである。
【００４２】
アルバム別目次本生成処理では、図４を用いて説明したアーティスト別目次本生成処理におけるアーティスト名をアルバム名に置き換えることによりアルバム名毎にまとめられた選択コードの一覧よりなるアルバム別目次本が目次本生成手段３によって生成される。したがって、Ｓ６１乃至Ｓ６４は、Ｓ４１乃至Ｓ４４とそれぞれ同様の処理となるため、説明を省略する。
【００４３】
同様に、ジャンル別目次本生成処理（Ｓ３３、図３）では、図４を用いて説明したアーティスト別目次本生成におけるアーティスト名をジャンルに置き換えることによりジャンル毎にまとめられた選択コードの一覧よりなるジャンル別目次本が目次本生成手段３によって生成される。
【００４４】
分類フラグ別目次本生成処理（Ｓ３４、図３）では、図７（ａ）に示すように、分類フラグの名称および分類フラグに対応する選択コードが単純に並べられた選択コードの一覧よりなる分類フラグ別目次本が目次本生成手段３によって生成される。なお、目次本に表示する分類フラグの一覧、および、分類フラグと選択コードとの対応関係は、あらかじめ選択コード変換規則記憶手段８に格納されているものとし、目次本生成手段３は、この変換規則を利用して分類フラグ別目次本を生成する。
【００４５】
おすすめ目次本生成処理（Ｓ３５、図３）では、図７（ｂ）に示すように、コンテンツ再生装置１が薦めるプレイリストを選択するための選択コードの一覧よりなるおすすめ目次本が目次本生成手段３によって生成される。
【００４６】
ＭＹヒットチャートは、格納されたコンテンツの中で再生頻度が多い１０曲をランキング順に並べたプレイリストを表す。今月のおすすめプレイリストは、季節やイベントに応じて自動的に選択されたプレイリストを表す。
【００４７】
なお、これらプレイリストの選択コードとトラックとの対応関係は、あらかじめ選択コード変換規則記憶手段８に格納されているものとする。
【００４８】
以上のように目次本生成手段３によって生成されたアーティスト別目次本、アルバム別目次本、ジャンル別目次本、分類フラグ別目次本およびおすすめ目次本をつなげた目次本の例を図８に示す。
【００４９】
なお、以上の説明においては、選択コードを数字と一部の記号を用いて表すものとして説明したが、数字、文字、記号などの任意の組合せを用いて表してもよい。また、選択コードをＱＲ（Quick Response）コード（登録商標）などのバーコードを用いて表してもよい。
【００５０】
目次本生成手段３によって生成された目次本は、目次本出力手段４によって出力される。具体的には、目次本出力手段４は、目次本をファイルにしてＳＤ（Secure Digital）カード（登録商標）などの取り外し可能な記憶媒体に格納するか、通信により外部装置に送信する。
【００５１】
ここで、ファイル形式は、テキストフォーマット、各種文書作成ソフトウェアのドキュメントファイルフォーマットまたはＪＰＥＧ（Joint Photographic Experts Group）などの画像フォーマットの何れでもよい。
【００５２】
なお、目次本出力手段４は、コンテンツ再生装置１に設けられた表示装置に目次本を表示させるようにしてもよく、コンテンツ再生装置１に設けられた印刷装置に目次本を印刷させるようにしてもよい。
【００５３】
目次本出力手段４により出力された目次本を参照して、利用者は、再生を希望する選択コードを決定することができる。ここで、利用者に目次本を参照させる方法はいくつかの形態が考えられる。例えば、目次本のファイルをプリンタを用いて印刷して参照する形態や、目次本のファイルをＰＣ（Personal Computer）や携帯電話などに搭載されているファイル表示ソフトを用いてディスプレイ表示して参照する形態などがあり、何れの形態を用いてもよい。
【００５４】
次に、図９を参照してコンテンツ再生装置１のプレイリスト生成動作について説明する。
【００５５】
まず、利用者が希望する選択コードが選択コード入力手段５を介して入力されると、入力された選択コードの種類がプレイリスト生成手段６によって判断される（Ｓ９１）。
【００５６】
入力された選択コードがアーティストコードであると判断された場合には、コンテンツ格納手段２に格納されたコンテンツ管理情報に基づいて、アーティストコードが一致する全てのトラックがプレイリスト生成手段６によって検索される（Ｓ９２）。
【００５７】
また、入力された選択コードがアルバムコードであると判断された場合には、コンテンツ格納手段２に格納されたコンテンツ管理情報に基づいて、アルバムコードが一致する全てのトラックがプレイリスト生成手段６によって検索される（Ｓ９３）。
【００５８】
また、入力された選択コードがジャンルコードであると判断された場合には、コンテンツ格納手段２に格納されたコンテンツ管理情報に基づいて、ジャンルコードが一致する全てのトラックがプレイリスト生成手段６によって検索される（Ｓ９４）。
【００５９】
また、入力された選択コードがトラックコードであると判断された場合には、コンテンツ格納手段２に格納されたコンテンツ管理情報に基づいて、トラックコードが一致するトラックがプレイリスト生成手段６によって検索される（Ｓ９５）。なお、入力された選択コードがトラックコードである場合には、１つのトラックが得られる。
【００６０】
また、入力された選択コードがその他の選択コードであると判断された場合には、コンテンツ格納手段２に格納されたコンテンツ管理情報に基づいて、選択コードに対応する分類フラグが付されたトラックがプレイリスト生成手段６によって検索される（Ｓ９６）。
【００６１】
なお、プレイリスト生成手段６は、選択コード変換規則記憶手段８に格納されている分類フラグと選択コードとの対応関係に基づいて、選択コードに対応する分類フラグが付されたトラックを検索する。
【００６２】
次に、このように検索されて得られたトラックの一覧よりなるプレイリストがプレイリスト生成手段６によって生成される（Ｓ９７）。
【００６３】
再生手段７は、このように生成されたプレイリストに従った再生順でコンテンツを再生する。なお、本発明において、プレイリストとは、少なくとも１つのコンテンツを示す情報を再生順に並べたものである。
【００６４】
また、再生手段７は、特定のコンテンツを繰り返して再生するリピート再生、プレイリストが表すコンテンツをランダムに再生するランダム再生、および、コンテンツの一部分のみを再生するスキャン再生などの特殊再生も選択できるようにしてもよい。さらに、再生手段７は、再生したプレイリストを保存しておき、後に呼び出して再生するようにしてもよい。
【００６５】
このような本発明の第１の実施の形態のコンテンツ再生装置１によれば、格納されたコンテンツに応じて自動的に生成した目次本に基づいて利用者によって選択された選択コードに対応するコンテンツを検索するため、利用者がコンテンツ再生装置１の操作に慣れていなくても、利用者が希望するコンテンツを簡単な操作で検索して再生することができる。
【００６６】
なお、プレイリスト生成手段６は、コンテンツ再生装置１に設けられた表示装置にプレイリストを表示させるようにしてもよい。
【００６７】
また、本実施の形態では、選択コード入力手段５には、１つの選択コードが入力されるものとして説明したが、選択コード入力手段５には、複数の選択コードを連続または同時に入力できるものとしてもよい。
【００６８】
例えば、選択コードが連続して入力された場合に、プレイリスト生成手段６が、対応するコンテンツを次々とプレイリストに追加するようにすれば、カラオケ装置のインターフェースに似た連続再生が可能になる。
【００６９】
また、複数の選択コードが同時に入力された場合に、プレイリスト生成手段６が、複数の選択コードの何れにも該当するコンテンツのみを表すプレイリストを生成するようにすれば、「浜崎あゆみのヒット曲」や「９０年代のＴＶ・ＣＭ曲」といったＡＮＤ検索、すなわち絞り込み検索が可能になる。
【００７０】
また、複数の選択コードが同時に入力された場合に、プレイリスト生成手段６が、複数の選択コードの何れかに該当する全てのコンテンツを表すプレイリストを生成するようにすれば、「夏の曲か海の曲」といったＯＲ検索が可能になる。
【００７１】
（第２の実施の形態）
本発明の第２の実施の形態のコンテンツ再生装置を図１０に示す。なお、本発明の第２の実施の形態のコンテンツ再生装置１００の各構成において本発明の第１の実施の形態に係るコンテンツ再生装置１の各構成と同様なものについては同一の符号を付して説明を省略する。
【００７２】
コンテンツ再生装置１００は、本発明の第１の実施の形態におけるコンテンツ再生装置１の各構成に加えて、コンテンツデータベース９をさらに備えている。
【００７３】
コンテンツデータベース９は、市場に存在する多くのコンテンツに関する情報が格納されたデータベースであり、アルバム名、アーティスト名およびジャンル名といった情報を格納するだけでなく、アルバム、アーティストおよびトラックごとに一意なＩＤを格納している。
【００７４】
すなわち、コンテンツデータベース９内において、全てのアーティストには一意なアーティストＩＤが付番され、全てのトラックには一意なトラックＩＤが付番されている。
【００７５】
以上のように構成されたコンテンツ再生装置１００について、その動作を説明する。
【００７６】
コンテンツ格納手段２は、コンテンツが追加された時に、追加されたコンテンツのアーティストＩＤ、アルバムＩＤおよびトラックＩＤなどのＩＤをコンテンツデータベース９から取得し、取得した各ＩＤをアーティストコード、アルバムコードおよびトラックコードなどとしたコンテンツ管理情報を格納する。
【００７７】
なお、コンテンツ再生装置１００の目次本生成動作およびプレイリスト生成動作については、本発明の第１の実施の形態で説明したコンテンツ再生装置１の目次本生成動作およびプレイリスト生成動作と同じであるため説明を省略する。
【００７８】
このような本発明の第２の実施の形態のコンテンツ再生装置１００によれば、複数のコンテンツ再生装置１００間で選択コードを共通化できるため、同一の選択コードにより希望するコンテンツを検索して再生することができる。
【００７９】
なお、本実施の形態では、コンテンツ再生装置１００は、コンテンツデータベース９を備えているものとして説明したが、コンテンツ再生装置１００は、外部のコンテンツデータベース９に接続されるものとしてもよい。
【００８０】
例えば、ＤＶＤ（Digital Versatile Disc）やＳＤカードなどの取り外し可能な記憶媒体にコンテンツに関する情報を格納し、コンテンツ再生装置１００は、この記憶媒体からコンテンツに関する情報を取得するようにしてもよい。
【００８１】
また、サーバ装置にコンテンツに関する情報を格納し、コンテンツ再生装置１００は、通信によりサーバ装置からコンテンツに関する情報を取得するようにしてもよい。
【産業上の利用可能性】
【００８２】
以上のように、本発明にかかるコンテンツ検索装置およびコンテンツ検索方法は、利用者がプレイヤの操作に慣れていなくても、利用者が希望するコンテンツを簡単な操作で検索することができるという効果を有し、例えば、記憶媒体に格納された複数のコンテンツからコンテンツ再生装置に再生させるコンテンツを検索するコンテンツ検索装置およびコンテンツ検索方法等として有用である。
【図面の簡単な説明】
【００８３】
【図１】本発明の第１の実施の形態におけるコンテンツ再生装置のブロック図
【図２】本発明の第１の実施の形態におけるコンテンツ再生装置を構成するコンテンツ格納手段に格納されたコンテンツ管理情報を示す図
【図３】本発明の第１の実施の形態におけるコンテンツ再生装置の目次本生成動作を説明するためのフローチャート
【図４】本発明の第１の実施の形態におけるコンテンツ再生装置のアーティスト別目次本生成処理を説明するためのフローチャート
【図５】本発明の第１の実施の形態におけるコンテンツ再生装置によって生成されるアーティスト別目次本の例を示す図
【図６】本発明の第１の実施の形態におけるコンテンツ再生装置のアルバム別目次本生成処理を説明するためのフローチャート
【図７】本発明の第１の実施の形態におけるコンテンツ再生装置によって生成される分類フラグ別目次本およびおすすめ目次本の例を示す図
【図８】本発明の第１の実施の形態におけるコンテンツ再生装置によって生成される目次本の例を示す図
【図９】本発明の第１の実施の形態におけるコンテンツ再生装置のプレイリスト生成動作を説明するためのフローチャート
【図１０】本発明の第２の実施の形態におけるコンテンツ再生装置のブロック図
【符号の説明】
【００８４】
１、１００  コンテンツ再生装置
２  コンテンツ格納手段
３  目次本生成手段
４  目次本出力手段
５  選択コード入力手段
６  プレイリスト生成手段
７  再生手段
８  選択コード変換規則記憶手段
９  コンテンツデータベース
【図１】
2007041934.tif 000003
【図２】
2007041934.tif 000004
【図３】
2007041934.tif 000005
【図４】
2007041934.tif 000006
【図５】
2007041934.tif 000007
【図６】
2007041934.tif 000008
【図７】
2007041934.tif 000009
【図８】
2007041934.tif 000010
【図９】
2007041934.tif 000011
【図１０】
2007041934.tif 000012